(57)【要約】【課題】無駄な印刷を省くことができる画像処理装置、画像処理方法、画像処理プログラム、及び記憶媒体を提供する。【解決手段】撮影した画像ファイルの画像の良し悪しを事前に判断することが容易となり、ピンぼけなどの不良写真を印刷しないように出来るため、これまでの無駄な印刷コストを省くことが可能となるので、無駄な印刷を省くことができる画像処理装置、画像処理方法、画像処理プログラム、及び記憶媒体の提供を実現することができる。【選択図】図１
2007180735.tif 000002
【特許請求の範囲】
【請求項１】
被写体を表す光学像を電気信号に変換する撮像手段と、該電気信号を表す画像データを画像ファイルとして情報記録媒体に記録する記録手段とを備えた画像処理装置において、
外部印刷装置との間でデータを授受する通信手段と、
再生時に、前記画像ファイルの焦点を合わせた位置を示す焦点位置情報を取得する焦点位置取得手段と、
前記画像データを処理して画像のサイズを拡大する拡大処理手段とを有し、
前記記録手段は、記録時に、撮像対象内の焦点を合わせた位置を示す焦点位置情報を作成し、その焦点位置情報を前記電気信号と関係付けて再生可能に記録し、前記拡大処理手段は、前記情報記録媒体に記録されている画像ファイルの焦点位置を含む領域を拡大処理し、前記外部印刷装置は、インデックス印刷することを特徴とする画像処理装置。
【請求項２】
再生時に取得する画像ファイルの前記焦点位置情報は、前記画像ファイルに付加されているヘッダー情報から取得することを特徴とする請求項１に記載の画像処理装置。
【請求項３】
前記拡大領域は、前記画像ファイルの焦点位置を中心とした領域であることを特徴とする請求項１に記載の画像処理装置。
【請求項４】
前記画像ファイルが焦点位置情報を取得できない画像ファイルであった場合には、前記画像ファイルの中央を拡大処理してインデックス印刷することを特徴とする請求項１に記載の画像処理装置。
【請求項５】
被写体を表す光学像を電気信号に変換し、該電気信号を表す画像データを画像ファイルとして情報記録媒体に記録する画像処理方法において、
外部印刷装置との間でデータを授受し、
記録時に、撮像対象内の焦点を合わせた位置を示す焦点位置情報を作成し、その焦点位置情報を前記電気信号と関係付けて再生可能に記録し、
再生時に、前記画像ファイルの焦点を合わせた位置を示す焦点位置情報を取得し、
前記画像データを処理して画像のサイズを拡大し、
前記情報記録媒体に記録されている画像ファイルの焦点位置を含む領域を拡大すると共に、インデックス印刷することを特徴とする画像処理方法。
【請求項６】
実質的なコンピュータに、被写体を表す光学像を電気信号に変換する処理、該電気信号を表す画像データを画像ファイルとして情報記録媒体に記録する処理を実行させる画像処理プログラムにおいて、
前記コンピュータに、外部印刷装置との間でデータを授受する通信処理と、
記録時に、撮像対象内の焦点を合わせた位置を示す焦点位置情報を作成し、その焦点位置情報を前記電気信号と関係付けて再生可能に記録する記録処理と、
再生時に、前記画像ファイルの焦点を合わせた位置を示す焦点位置情報を取得する焦点位置取得処理と、
前記画像データを処理して画像のサイズを拡大する拡大処理処理とを有し、
前記情報記録媒体に記録されている画像ファイルの焦点位置を含む領域を拡大処理し、インデックス印刷する処理とを実行させることを特徴とする画像処理プログラム。
【請求項７】
実質的なコンピュータに、被写体を表す光学像を電気信号に変換する処理、該電気信号を表す画像データを画像ファイルとして情報記録媒体に記録する処理を実行させる画像処理プログラムを記憶した記憶媒体において、
前記コンピュータに、外部印刷装置との間でデータを授受する通信処理と、
記録時に、撮像対象内の焦点を合わせた位置を示す焦点位置情報を作成し、その焦点位置情報を前記電気信号と関係付けて再生可能に記録する記録処理と、
再生時に、前記画像ファイルの焦点を合わせた位置を示す焦点位置情報を取得する焦点位置取得処理と、
前記画像データを処理して画像のサイズを拡大する拡大処理処理とを有し、
前記情報記録媒体に記録されている画像ファイルの焦点位置を含む領域を拡大処理し、インデックス印刷する処理とを実行させる画像処理プログラムを記憶したことを特徴とする記憶媒体。
【発明の詳細な説明】
【技術分野】
【０００１】
本発明は、デジタルカメラ等の画像処理装置、画像処理方法、画像処理プログラム、及び記憶媒体に関する。
【背景技術】
【０００２】
近年、銀塩式カメラ（機械式カメラ）に代わり、撮影した画像を電気的に処理するデジタルカメラが台頭してきた。この種のデジタルカメラには、ボケ画像、露出不足、手ぶれなどを検出して削除するものや（例えば、特許文献１参照。）、プリント開始スイッチを操作すると印刷来歴情報に基づいて少なくとも未プリント情報を持つ画像データを順次プリント出力しその完了後に対応する印刷来歴情報を更新するものや（例えば、特許文献２参照。）、最新の履歴ファイルに記録された画像ファイル以降に撮影された画像ファイルを印刷対象として印刷するもの（例えば、特許文献３参照）がある。
【特許文献１】特開２００２−３６９１２５号公報
【特許文献２】特開２００４−１５５３３号公報
【特許文献３】特開２００３−１５８６９６号公報
【発明の開示】
【発明が解決しようとする課題】
【０００３】
ところで、従来のプリント対応のデジタルカメラでは、撮影した画像ファイルをまとめて印刷した場合、ピンぼけなどの不良写真も印刷してしまうケースがほとんどであった。印刷するためのコストは高いので、不良写真を印刷したくないとう要望は強い。
しかしながら、デジタルカメラからプリンタへダイレクトに印刷する場合は印刷後あるいは、デジタルカメラに内蔵された小さな表示装置で画像を確認するしか方法がなかった。このため、パソコンへ画像を転送し、パソコンにて画像を確認してから印刷するケースが多かった。
【０００４】
また、従来のデジタルカメラでは、画像ファイルの焦点位置情報を簡単に取得できるものがなかった。
【０００５】
さらに、焦点位置情報が取得できない画像ファイルであった場合でも、画像ファイルの中心部の領域を拡大し、インデックス印刷を行うことができなかった。
【０００６】
そこで、本発明の目的は、無駄な印刷を省くことができる画像処理装置、画像処理方法、画像処理プログラム、及び記憶媒体を提供することにある。
【課題を解決するための手段】
【０００７】
上記課題を解決するために、請求項１に記載の発明は、被写体を表す光学像を電気信号に変換する撮像手段と、該電気信号を表す画像データを画像ファイルとして情報記録媒体に記録する記録手段とを備えた画像処理装置において、外部印刷装置との間でデータを授受する通信手段と、再生時に、前記画像ファイルの焦点を合わせた位置を示す焦点位置情報を取得する焦点位置取得手段と、前記画像データを処理して画像のサイズを拡大する拡大処理手段とを有し、前記記録手段は、記録時に、撮像対象内の焦点を合わせた位置を示す焦点位置情報を作成し、その焦点位置情報を前記電気信号と関係付けて再生可能に記録し、前記拡大処理手段は、前記情報記録媒体に記録されている画像ファイルの焦点位置を含む領域を拡大処理し、前記外部印刷装置は、インデックス印刷することを特徴とする。
【０００８】
請求項２に記載の発明は、請求項１に記載の発明において、再生時に取得する画像ファイルの前記焦点位置情報は、前記画像ファイルに付加されているヘッダー情報から取得することを特徴とする。
【０００９】
請求項３に記載の発明は、請求項１に記載の発明において、前記拡大領域は、前記画像ファイルの焦点位置を中心とした領域であることを特徴とする。
【００１０】
請求項４に記載の発明は、請求項１に記載の発明において、前記画像ファイルが焦点位置情報を取得できない画像ファイルであった場合には、前記画像ファイルの中央を拡大処理してインデックス印刷することを特徴とする。
【００１１】
請求項５に記載の発明は、被写体を表す光学像を電気信号に変換し、該電気信号を表す画像データを画像ファイルとして情報記録媒体に記録する画像処理方法において、外部印刷装置との間でデータを授受し、記録時に、撮像対象内の焦点を合わせた位置を示す焦点位置情報を作成し、その焦点位置情報を前記電気信号と関係付けて再生可能に記録し、再生時に、前記画像ファイルの焦点を合わせた位置を示す焦点位置情報を取得し、前記画像データを処理して画像のサイズを拡大し、前記情報記録媒体に記録されている画像ファイルの焦点位置を含む領域を拡大すると共に、インデックス印刷することを特徴とする。
【００１２】
請求項６に記載の発明は、実質的なコンピュータに、被写体を表す光学像を電気信号に変換する処理、該電気信号を表す画像データを画像ファイルとして情報記録媒体に記録する処理を実行させる画像処理プログラムにおいて、前記コンピュータに、外部印刷装置との間でデータを授受する通信処理と、記録時に、撮像対象内の焦点を合わせた位置を示す焦点位置情報を作成し、その焦点位置情報を前記電気信号と関係付けて再生可能に記録する記録処理と、再生時に、前記画像ファイルの焦点を合わせた位置を示す焦点位置情報を取得する焦点位置取得処理と、前記画像データを処理して画像のサイズを拡大する拡大処理処理とを有し、前記情報記録媒体に記録されている画像ファイルの焦点位置を含む領域を拡大処理し、インデックス印刷する処理とを実行させることを特徴とする。
【００１３】
請求項７に記載の発明は、実質的なコンピュータに、被写体を表す光学像を電気信号に変換する処理、該電気信号を表す画像データを画像ファイルとして情報記録媒体に記録する処理を実行させる画像処理プログラムを記憶した記憶媒体において、前記コンピュータに、外部印刷装置との間でデータを授受する通信処理と、記録時に、撮像対象内の焦点を合わせた位置を示す焦点位置情報を作成し、その焦点位置情報を前記電気信号と関係付けて再生可能に記録する記録処理と、再生時に、前記画像ファイルの焦点を合わせた位置を示す焦点位置情報を取得する焦点位置取得処理と、前記画像データを処理して画像のサイズを拡大する拡大処理処理とを有し、前記情報記録媒体に記録されている画像ファイルの焦点位置を含む領域を拡大処理し、インデックス印刷する処理とを実行させる画像処理プログラムを記憶したことを特徴とする。
【発明の効果】
【００１４】
本発明によれば、撮影した画像ファイルの画像の良し悪しを事前に判断することが容易となり、ピンぼけなどの不良写真を印刷しないように出来るため、これまでの無駄な印刷コストを省くことが可能となるので、無駄な印刷を省くことができる画像処理装置、画像処理方法、画像処理プログラム、及び記憶媒体の提供を実現することができる。
【発明を実施するための最良の形態】
【００１５】
本発明に係る画像処理装置の一実施形態は、被写体を表す光学像を電気信号に変換する撮像手段と、電気信号を表す画像データを画像ファイルとして情報記録媒体に記録する記録手段とを備えた画像処理装置において、外部印刷装置との間でデータを授受する通信手段と、再生時に、画像ファイルの焦点を合わせた位置を示す焦点位置情報を取得する焦点位置取得手段と、画像データを処理して画像のサイズを拡大する拡大処理手段とを有し、記録手段は、記録時に、撮像対象内の焦点を合わせた位置を示す焦点位置情報を作成し、その焦点位置情報を電気信号と関係付けて再生可能に記録し、拡大処理手段は、情報記録媒体に記録されている画像ファイルの焦点位置を含む領域を拡大処理し、外部印刷装置は、インデックス印刷することを特徴とする。
【００１６】
このような構成により、事前に撮影画像ファイルの状態（ピントが合っているか否か）を低コストで確認することが出来、ピンぼけなどの不良写真を印刷しないように出来るため、無駄な印刷コストを省くことが可能となる。
【００１７】
本発明に係る画像処理装置は、上記構成に加え、再生時に取得する画像ファイルの焦点位置情報は、画像ファイルに付加されているヘッダー情報から取得するのが好ましい。
【００１８】
このような構成により、焦点位置情報を簡単に取得でき、処理時間の短縮を図ることができる。
【００１９】
本発明に係る画像処理装置は、上記構成に加え、拡大領域は、画像ファイルの焦点位置を中心とした領域であるのが好ましい。
【００２０】
このような構成により、焦点位置を中心に拡大した画像を印刷するので、不良画像であるかどうか容易に判断することが可能となる。
【００２１】
本発明に係る画像処理装置は、上記構成に加え、画像ファイルが焦点位置情報を取得できない画像ファイルであった場合には、画像ファイルの中央を拡大処理してインデックス印刷することを特徴とする。
【００２２】
このような構成により、焦点位置情報が取得できない画像ファイルであった場合でも、画像ファイルの中心部の領域を拡大し、インデックス印刷を行うことが可能となり、不良画像とするか否かのユーザ判断を焦点位置情報が取得できない画像ファイルであっても行うことが可能となる。
【００２３】
本発明に係る画像処理方法の一実施形態は、被写体を表す光学像を電気信号に変換し、電気信号を表す画像データを画像ファイルとして情報記録媒体に記録する画像処理方法において、外部印刷装置との間でデータを授受し、記録時に、撮像対象内の焦点を合わせた位置を示す焦点位置情報を作成し、その焦点位置情報を電気信号と関係付けて再生可能に記録し、再生時に、画像ファイルの焦点を合わせた位置を示す焦点位置情報を取得し、画像データを処理して画像のサイズを拡大し、情報記録媒体に記録されている画像ファイルの焦点位置を含む領域を拡大すると共に、インデックス印刷することを特徴とする。
【００２４】
このような構成により、事前に撮影画像ファイルの状態を低コストで確認することが出来、ピンぼけなどの不良写真を印刷しないように出来るため、無駄な印刷コストを省くことが可能となる。
【００２５】
本発明に係る画像処理プログラムの一実施の形態は、実質的なコンピュータに、被写体を表す光学像を電気信号に変換する処理、電気信号を表す画像データを画像ファイルとして情報記録媒体に記録する処理を実行させる画像処理プログラムにおいて、コンピュータに、外部印刷装置との間でデータを授受する通信処理と、記録時に、撮像対象内の焦点を合わせた位置を示す焦点位置情報を作成し、その焦点位置情報を電気信号と関係付けて再生可能に記録する記録処理と、再生時に、画像ファイルの焦点を合わせた位置を示す焦点位置情報を取得する焦点位置取得処理と、画像データを処理して画像のサイズを拡大する拡大処理処理とを有し、情報記録媒体に記録されている画像ファイルの焦点位置を含む領域を拡大処理し、インデックス印刷する処理とを実行させることを特徴とする。
【００２６】
上記構成の画像処理プログラムを画像処理装置に用いることにより、事前に撮影画像ファイルの状態を低コストで確認することが出来、ピンぼけなどの不良写真を印刷しないように出来るため、無駄な印刷コストを省くことが可能となる。
【００２７】
本発明に係る記憶媒体の一実施の形態は、実質的なコンピュータに、被写体を表す光学像を電気信号に変換する処理、電気信号を表す画像データを画像ファイルとして情報記録媒体に記録する処理を実行させる画像処理プログラムを記憶した記憶媒体において、コンピュータに、外部印刷装置との間でデータを授受する通信処理と、記録時に、撮像対象内の焦点を合わせた位置を示す焦点位置情報を作成し、その焦点位置情報を電気信号と関係付けて再生可能に記録する記録処理と、再生時に、画像ファイルの焦点を合わせた位置を示す焦点位置情報を取得する焦点位置取得処理と、画像データを処理して画像のサイズを拡大する拡大処理処理とを有し、情報記録媒体に記録されている画像ファイルの焦点位置を含む領域を拡大処理し、インデックス印刷する処理とを実行させる画像処理プログラムを記憶したことを特徴とする。
【００２８】
このような構成の記憶媒体を画像処理装置に用いることにより、事前に撮影画像ファイルの状態を低コストで確認することが出来、ピンぼけなどの不良写真を印刷しないように出来るため、無駄な印刷コストを省くことが可能となる。
＜プログラム及び記憶媒体＞
以上で説明した本発明に係る画像処理装置の一実施の形態は、マイクロコンピュータで画像処理を実行させる画像処理プログラムによって実現されている。マイクロコンピュータとしては。例えばパーソナルコンピュータやワークステーションなどに用いられる汎用的なものが挙げられるが、本発明はこれに限定されるものではない。
【００２９】
これにより、画像処理プログラムが実行可能なコンピュータ環境さえあれば、どこにおいても本発明の画像処理装置を実現することができる。
このような画像処理プログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、ＨＤＤ（Hard Disc Driver）、フラッシュメモリ、ＲＡＭ（Random Access Memory）、ＲＯＭ（Read Only Memory）、ＦｅＲＡＭ（強誘電体メモリ）等の半導体メモリが挙げられる。
【００３０】
なお、上述した実施の形態は、本発明の好適な実施の形態の一例を示すものであり、本発明はそれに限定されることなく、その要旨を逸脱しない範囲内において、種々変形実施が可能である。
【実施例】
【００３１】
次に本発明に係る画像処理装置の一実施例について述べる。
図１は本発明に係る画像処理装置としての画像撮影装置の一実施例を示すデジタルカメラのブロック図である。
デジタルカメラ１は、プリンタ２とＵＳＢやブルーツース（Bluetooth）を用いて通信することが可能である。
デジタルカメラ１は、情報を記憶するフラッシュメモリなどの外部記憶装置２１と、ＣＣＤ、ＡＤ変換器など画像情報の入力部である撮像装置２２と、各種情報の表示装置２３と、外部からの入力を行う操作卓２４と、外部プリンタとのインターフェースを制御する通信Ｉ／Ｆ部２５と、デジタルカメラ全体を制御する全体制御装置１０とを有する。
【００３２】
尚、全体制御装置１０は、ＣＰＵ／ＲＯＭ／ＲＡＭ／入出力ポート（Ｉ／Ｏポート）及びこれらを結ぶバスラインなどからなる周知のマイクロコンピュータにより構成されている。
【００３３】
図２は印刷装置としてのプリンタのブロック図である。
同図に示すプリンタ１は、デジタルカメラ１とＵＳＢやブルーツースを用いて通信することが可能である。
プリンタ１は、情報を記憶するフラッシュメモリなどの外部記憶装置１２１と、用紙への印刷を行う印刷装置１２２と、各種情報の表示装置１２３と、外部からの入力を行う操作卓１２４と、外部デジタルカメラとのインターフェースを制御する通信Ｉ／Ｆ部１２５と、プリンタ全体を制御する全体制御装置１１０とを有する。
【００３４】
尚、全体制御装置１１０は、ＣＰＵ／ＲＯＭ／ＲＡＭ／入出力ポート（Ｉ／Ｏポート）及びこれらを結ぶバスラインなどからなる周知のマイクロコンピュータにより構成されている。
【００３５】
次に、図３に本発明に係る画像処理方法を適用したデジタルカメラのフローチャートの一実施例を示す。
最初のステップＳ３０１で操作卓２４より画像確認のためのインデックス印刷操作があると、ステップＳ３０２で、外部記憶装置２１に記憶されている画像ファイルの検索を行う。
【００３６】
ここで、本実施例に係わるデジタルカメラ１は、Exif（Exchangeable Image File Format）規格に対応しており、撮影によって得られた画像データは、Exif規格の電子化ファイル（画像ファイル）として外部記憶装置２１に記憶される。そして、Exif規格の画像ファイルに含まれるタグ領域に予め設定された撮影時の各種情報が記憶されることになる。
【００３７】
すなわち、図４に示すように、本実施の形態に係わるデジタルカメラ１において、撮影により得られて外部記憶装置２１に記憶される画像ファイルは、Exif規格に対応しているため、スタートコード領域、タグ領域、サムネイル画像領域、及び主画像領域が含まれている。
図４は、Ｅｘｉｆファイルの構造図である。
【００３８】
ここで、タグ領域には、予め設定された撮影画像データに関わる各種付属情報が記憶されることになる。タグ領域に記憶可能な情報としては、本実施例では、撮影時に適用された撮影対象領域内の焦点を合わせた位置を示す焦点位置情報をはじめ、ストロボの発光・未発光を示す情報、絞りの状態を示す情報、撮影日時を示す情報等、撮影に関する撮影情報や、デジタルカメラ１で設定されていた、マニュアル撮影、オート撮影、プログラム撮影、マクロ撮影、夜景撮影、人物撮影など撮影条件を示す情報等が予め設定できるものとして構成されている。
【００３９】
なお、本実施例では、画像ファイルの焦点位置情報として、画像ファイルに含まれるデジタル画像データ上の焦点位置を示す座標情報が記憶される。
【００４０】
次に、ステップＳ３０３で、画像ファイルの情報取得のため、対象画像ファイルのタグ領域をＲＡＭ上に読出し、ＲＡＭを作業領域として、ＣＰＵが画像ファイルの焦点位置情報を取得する。
具体的には、画像ファイルのタグ領域の所定領域には、撮影時において適用された焦点位置情報を示す情報が格納してあり、ＣＰＵからの指示により、タグ領域から画像ファイルの焦点位置情報を読出し、ＲＡＭに格納する。
【００４１】
次に、ステップＳ３０４では、先に求めた画像ファイル数、画像ファイルの焦点位置情報を取得後、撮影した画像データの焦点位置を中央とした拡大画像データのインデックス画像を、出力装置のフォーマットに見合った形式に変更して、そのイメージデータを一時記憶メモリＲＡＭに展開作成する。
つまり、読み出した焦点位置情報により示される焦点位置が含まれる領域で、かつ所定サイズとされた矩形領域に対応する画素データ群を対象となる画像ファイルにおける主画像領域から読出し、画素データ群により示される画像を所定倍率で拡大するための拡大処理を行う。拡大処理の手法としては、デジタルカメラの分野で従来から広く採用されているデジタルズームで一般的に行われている、各画素間の拡大処理後の画素データを、補間処理によって生成する手法を適用する。
【００４２】
ここで、ステップＳ３０３で画像ファイルの焦点位置情報が取得できなかった場合には、画像ファイルの中央を拡大処理したイメージデータを作成する。
【００４３】
次に、ステップＳ３０５で、一時記憶用メモリＲＡＭを用いて出力イメージを作成して、一時的に保存する。
【００４４】
次に、ステップＳ３０６では、一時記憶用メモリＲＡＭ上に一時保存された出力イメージデータを、カメラ内の出力装置用のドライバを用いて、出力プリンタにマッチしたデータ形式（ＹＭＣデータ系）に変換し、ステップＳ３０７では、上記変換した後のデータを通信インターフェースを介して、プリンタ（出力装置）のプリンタバッファに転送する。
【００４５】
次に、ステップＳ３０８では、プリンタバッファに送られてきたデータを基に、インデックス印刷出力を自動的に行う。このインデックス印刷された画像データを確認することにより、撮影した画像ファイルの良し悪しを容易に判断することができ、不良画像だと判断した画像ファイルの１枚印刷出力を見送ることで無駄な印刷コストを削減できる。
【００４６】
＜作用効果＞
（請求項１）
事前に撮影画像ファイルの状態（ピントが合っているか否か）を低コストで確認することが出来、ピンぼけなどの不良写真を印刷しないように出来るため、無駄な印刷コストを省くことが可能となる。
【００４７】
（請求項２）
焦点位置情報を簡単に取得でき、処理時間の短縮が図れる。
【００４８】
（請求項３）
焦点位置を中心に拡大した画像を印刷するので、不良画像であるかどうか容易に判断することが可能となる。
【００４９】
（請求項４）
焦点位置情報が取得できない画像ファイルであった場合でも、画像ファイルの中心部の領域を拡大し、インデックス印刷を行うことが可能である。不良画像とするか否かのユーザ判断を焦点位置情報が取得できない画像ファイルであっても行うことが可能である。
【００５０】
（請求項５）
画像処理方法を画像処理装置に用いることにより、事前に撮影画像ファイルの状態を低コストで確認することが出来、ピンぼけなどの不良写真を印刷しないように出来るため、無駄な印刷コストを省くことが可能となる。
【００５１】
（請求項６）
画像処理プログラムを画像処理装置に用いることにより、事前に撮影画像ファイルの状態を低コストで確認することが出来、ピンぼけなどの不良写真を印刷しないように出来るため、無駄な印刷コストを省くことが可能となる。
【００５２】
（請求項７）
画像処理プログラムを記憶した記憶媒体を画像処理装置に用いることにより、事前に撮影画像ファイルの状態を低コストで確認することが出来、ピンぼけなどの不良写真を印刷しないように出来るため、無駄な印刷コストを省くことが可能となる。
【産業上の利用可能性】
【００５３】
本発明は、デジタルカメラ等の画像処理装置、画像処理方法、画像処理プログラム、及び記憶媒体に利用できる。
【図面の簡単な説明】
【００５４】
【図１】本発明に係る画像処理装置としての画像撮影装置の一実施例を示すデジタルカメラのブロック図である。
【図２】印刷装置としてのプリンタのブロック図である。
【図３】本発明に係る画像処理方法を適用したデジタルカメラのフローチャートの一実施例である。
【図４】Exifファイルの構造図である。
【符号の説明】
【００５５】
１    デジタルカメラ
１０    全体制御装置
２１    外部記憶装置
２２    撮像装置
２３    表示装置
２４    操作卓
２５    通信Ｉ／Ｆ部
【図１】
2007180735.tif 000003
【図２】
2007180735.tif 000004
【図３】
2007180735.tif 000005
【図４】
2007180735.tif 000006